(57)【要約】【課題】箱体の構造が簡単で、且つ、構造耐力性に優れたスーツケースを提供する。【解決手段】下板２０と周壁３０と上板１０とにより収容空間５０を囲んでおり、下板２０には、配置された第１の端部セクション２１と中間セクション２５と第２の端部セクション２２とからなる強化セクションがあり、該強化セクションに、リブ２３が収容空間５０とは反対方向へ突起し、且つ、長さ方向に亘って並ぶように複数形成されることにより、隣り合う２つのリブ２３の間に、それぞれ収容空間５０の反対側である外側に向かって開口する溝部２４が画成されている。よって、下板２０の両側は構造強度がよく、スーツケースの耐力性が向上する。【選択図】図１
0003218121.tif 000002
【実用新案登録請求の範囲】
【請求項１】
複数層のファイバー織布が重なって構成した積層体を熱圧成形することによって作成されたスーツケースであって、
下板と、該下板の周縁から該下板の一面側へ延伸する周壁と、前記下板と向かい合って前記周壁に接続する上板とを有し、前記下板と前記周壁と前記上板とにより収容空間を囲んでおり、
前記下板には、所定の長さ方向に沿って配置された第１の端部セクションと中間セクションと第２の端部セクションとからなる強化セクションがあり、該強化セクションに、前記長さ方向と略直交する幅方向に沿って延伸するリブが前記収容空間とは反対方向へ突起し、且つ、前記長さ方向に亘って並ぶように複数形成されることにより、隣り合う２つのリブの間に、それぞれ前記収容空間の反対側である外側に向かって開口する溝部が画成されていることを特徴とするスーツケース。
【請求項２】
前記第１の端部セクションと前記第２の端部セクションとはいずれも前記周壁に隣接し、前記第１の端部セクションと前記第２の端部セクションとにある前記溝部の前記長さ方向における幅は、前記中間セクションに形成された前記溝部の前記長さ方向における幅より狭くなっていることを特徴とする請求項１に記載のスーツケース。
【請求項３】
前記第１の端部セクションと前記第２の端部セクションとにそれぞれ形成された各前記溝部の前記長さ方向における幅は、前記中間セクションから離れるにつれて、段々に狭くなっていることを特徴とする請求項２に記載のスーツケース。
【請求項４】
前記第１の端部セクションと前記第２の端部セクションとには、それぞれキャスター設置部が配置され、各前記キャスター設置部にはキャスターユニットが取り付けられており、
各前記キャスターユニットは、いずれも当接板と、該当接板の一面側へ突起する取付部と、該当接板の前記取付部の反対側に配置されているキャスターと、を有しており、
各前記キャスター設置部には、いずれも対応する前記キャスターユニットの前記当接板に対応して当接することができる当接面と、該当接面の内側で前記外側に向かって開口し、対応する前記キャスターユニットの前記取付部を受け入れる受入凹部と、が形成されており、
前記受入凹部は側保持面と底面とにより画成され、前記側保持面は、前記当接面から前記上板側へ延伸して、前記受入凹部内に挿し込まれている前記キャスターユニットの前記取付部を側面からサポートし、前記底面は、前記側保持面が前記当接面から延伸する先端に接し、且つ、前記キャスターユニットの前記取付部の先端に当接することを特徴とする請求項３に記載のスーツケース。
【請求項５】
各前記キャスター設置部の前記側保持面は、平面であるセンター平面セクションと、平面で該センター平面セクションの両側にそれぞれあって、該センター平面セクションと鈍角を成す２つのサイド平面セクションと、を有しており、
各前記キャスターユニットの前記取付部は、対応する前記キャスター設置部の前記側保持面の形状に対応して、前記受入凹部内に挿し込まれた際に、前記センター平面セクション及び２つの前記サイド平面セクションと同時に当接できる形状に形成されていることを特徴とする請求項４に記載のスーツケース。
【請求項６】
各前記キャスターユニットの前記取付部には、前記受入凹部内に挿し込まれた際に、前記下板側から前記上板側へ延伸する２本の円柱状の係合柱が形成されており、
各前記キャスター設置部の前記側保持面は、円弧面であるセンター凹面セクションと、円弧面で該センター凹面セクションの両側にそれぞれある２つのサイド凹面セクションと、前記センター凹面セクションと２つの前記サイド凹面セクションとの間にそれぞれ介在し、２本の前記係合柱をそれぞれ受け入れられるように円柱状空間を囲む２つの係合柱受入セクションと、を有しており、
各前記キャスターユニットの前記取付部は、対応する前記キャスター設置部の前記側保持面の形状に対応して、前記受入凹部内に挿し込まれた際に、２本の前記係合柱が２つの前記係合柱受入セクションと当接すると共に、前記センター凹面セクション及び２つの前記サイド凹面セクションと同時に当接できる形状に形成されていることを特徴とする請求項４に記載のスーツケース。
【請求項７】
前記下板と、前記周壁と、前記上板とを有する箱体を２つ備え、該２つの箱体は、互いの前記収容空間が連通するように向かい合って接続されており、
更に、該２つの前記箱体の１つが他の１つの前記箱体と接続される端部を包囲する補強リブ板が取り付けられている上、該補強リブ板から１つの前記箱体の該補強リブ板に隣接する前記周壁と略平行に延伸する２つの突出板が形成されていることを特徴とする請求項１に記載のスーツケース。
【請求項８】
前記２つの箱体における１つの前記箱体における前記周壁には、前記上板と前記下板とが向かい合う高さ方向に沿って延伸し、且つ、他の１つの前記箱体から離れる方向へ突起する突出部と、前記周壁の裏側において該突出部の形状に対応する凹陥部とが設けられており、
前記突出部の前記上板が面する側の端部には、凹陥する取っ手収容エリアが形成されており、
更に、前記突出部には、前記取っ手収容エリアに収容可能な取っ手と、該取っ手から前記高さ方向に沿って延伸し、前記凹陥部に挿し込まれている伸縮アームとが取り付けられていることを特徴とする請求項７に記載のスーツケース。
【考案の詳細な説明】
【技術分野】
【０００１】
本考案はスーツケースに関し、特に箱体の構造を強化することができるスーツケースに関する。
【背景技術】
【０００２】
従来の一般的なスーツケースの箱体は、上板と、下板と、上板と下板とを接続する周壁とを有し、そして該下板の両側には、キャスターユニットと接続するためのキャスターユニット配置部を有している。
【０００３】
このようなスーツケースが凸凹な地面の上を移動する場合、振動が該キャスターユニット等から箱体の下板の両側にあるキャスターユニット配置部に伝わるため、大きな衝撃に耐える対策がないと、箱体の構造強度の不足による変形や破断が生じることになる。
【０００４】
例えば特許文献１に記載された従来のスーツケースは、箱体の下板における中間セクションに構造強化のための凹みを配置するが、該下板の中間セクション以外には構造強化に関する構成がない。
【先行技術文献】
【特許文献】
【０００５】
【特許文献１】台湾実用新案登録第Ｍ５４１２３０号明細書
【考案の概要】
【考案が解決しようとする課題】
【０００６】
従来のスーツケースは、キャスターユニット配置部が設けられる下板の両側に構造強化の構成がないため、凸凹な地面の上を移動すると、キャスターユニットから伝わる振動によってスーツケースが破損する恐れがある。
【０００７】
よって、本考案は上述の問題点に鑑みて、構造が簡単で、且つ構造強度に優れたスーツケースの提供を目的とする。
【課題を解決するための手段】
【０００８】
上記目的を達成するための手段として、本考案は、以下のスーツケースの提供を目的とする。
【０００９】
即ち、複数層のファイバー織布が重なって構成した積層体を熱圧成形することによって作成されたスーツケースである。下板と、該下板の周縁から該下板の一面側へ延伸する周壁と、前記下板と向かい合って前記周壁に接続する上板とを有し、前記下板と前記周壁と前記上板とにより収容空間を囲んでいる。前記下板には、所定の長さ方向に沿って配置された第１の端部セクションと中間セクションと第２の端部セクションとからなる強化セクションがある。該強化セクションに、前記長さ方向と略直交する幅方向に沿って延伸するリブが前記収容空間とは反対方向へ突起し、且つ、前記長さ方向に亘って並ぶように複数形成されることにより、隣り合う２つのリブの間に、それぞれ前記収容空間の反対側である外側に向かって開口する溝部が画成されているスーツケースを提供する。
【考案の効果】
【００１０】
本考案によれば、下板において複数のリブ及び複数の溝部が形成されることで下板の構造強度が強まり、下板の両側に取り付けられるキャスターユニットからの振動が下板の両側に伝わっても、下板が破損することを防ぐことができる。
【図面の簡単な説明】
【００１１】
【図１】本考案に係るスーツケースの第１の実施形態を示す分解斜視図
【図２】本考案に係るスーツケースの下板にある端部セクションの周りの構成が示される図１の一部拡大斜視図
【図３】該第１の実施形態の構成が示される一部拡大断面図
【図４】図３におけるIV‐IV線に沿った断面の断面図
【図５】該第１の実施形態を示す部分横断面図
【図６】本考案に係るスーツケースの第２の実施形態の構成が示される一部拡大斜視図
【図７】該第２の実施形態の構成が示される一部拡大断面図
【考案を実施するための形態】
【００１２】
以下、図面を参照しながら本考案の具体的な実施形態を説明する。
【００１３】
図１〜図４には、本考案に係るスーツケースの第１の実施形態が示されている。図１は本考案に係るスーツケースの第１の実施形態を示す分解斜視図であり、図２は本考案に係るスーツケースの下板にある端部セクションの周りの構成が示される図１の一部拡大斜視図であり、図３は該第１の実施形態の構成が示される一部拡大断面図であり、図４は図３におけるIV‐IV線に沿った断面の断面図である。
【００１４】
本考案に係るスーツケースは、図１に示されているように、複数層のファイバー織布が重なって構成した積層体を熱圧成形することによって作成された２つの箱体１が、互いに向かい合って接続されてなったものである。各箱体１は、いずれも下板２０と、下板２０の周縁から下板２０の一面側へ延伸する周壁３０と、下板２０と向かい合って周壁３０に接続する上板１０とを有し、下板２０と周壁３０と上板１０とにより収容空間５０を囲んでいる。そして、２つの箱体１は、互いの収容空間５０が連通するように向かい合って接続されていると共に、該２つの箱体１の１つが他の１つの箱体１と接続される端部を包囲する補強リブ板６０が取り付けられている上、１つの箱体１の補強リブ板６０から該補強リブ板６０に隣接する周壁３０と略平行に延伸する２つの突出板７０が形成されている。そして、各突出板７０にはそれぞれスタンドを取付けることができる。
【００１５】
下板２０には、所定の長さ方向に沿って配置された第１の端部セクション２１と中間セクション２５と第２の端部セクション２２とからなる強化セクションがあり、該強化セクションに、長さ方向と略直交する幅方向に沿って延伸するリブ２３が収容空間５０とは反対方向へ突起し、且つ、長さ方向に亘って並ぶように複数形成されることにより、隣り合う２つのリブ２３の間に、それぞれ収容空間５０の反対側である外側に向かって開口する溝部２４が画成されている。
【００１６】
図２に示されているように、第１の端部セクション２１と第２の端部セクション２２とはいずれも周壁３０に隣接し、第１の端部セクション２１と第２の端部セクション２２とにある溝部２４の前述した長さ方向における幅は、中間セクション２５に形成された溝部２４の長さ方向における幅より狭くなっている。
【００１７】
また、第１の端部セクション２１と第２の端部セクション２２とにそれぞれ形成された各溝部２４の前述した長さ方向における幅は、中間セクション２５から離れるにつれて、段々に狭くなっている。
【００１８】
第１の端部セクション２１と第２の端部セクション２２とには、それぞれキャスター設置部が配置され、各キャスター設置部にはキャスターユニット１００が取り付けられている。
【００１９】
各キャスターユニット１００は、いずれも当接板１３０と、該当接板１３０の一面側へ突起する取付部１４０と、該当接板の取付部１４０の反対側に配置されているキャスター１２０と、を有している。
【００２０】
各キャスター設置部には、いずれも対応するキャスターユニット１００の当接板１３０に対応して当接することができる当接面２８１と、当接面２８１の内側で外側に向かって開口し、対応するキャスターユニット１００の取付部１４０を受け入れる受入凹部２８と、が形成されている。
【００２１】
受入凹部２８は側保持面２８２と底面２８３とにより画成され、側保持面２８２は、当接面２８１から上板１０側へ延伸して、受入凹部２８内に挿し込まれているキャスターユニット１００の取付部１４０を側面からサポートし、底面２８３は、側保持面２８２が当接面２８１から延伸する先端に接し、且つ、キャスターユニット１００の取付部１４０の先端に当接する。
【００２２】
各キャスター設置部の側保持面２８２は、平面であるセンター平面セクション２８４と、平面で該センター平面セクション２８４の両側にそれぞれあって、該センター平面セクション２８４と鈍角を成す２つのサイド平面セクション２８５と、を有している。
【００２３】
また、各キャスターユニット１００の取付部１４０には、受入凹部２８内に挿し込まれた際に、下板２０側から上板１０側へ延伸する２本の円柱状の係合柱１５０が形成されている。
【００２４】
図３及び図４が示すように、各キャスターユニット１００の取付部１４０は、対応するキャスター設置部の側保持面２８２の形状に対応して、受入凹部２８内に挿し込まれた際に、センター平面セクション２８４及び２つのサイド平面セクション２８５と同時に当接できる形状に形成されている。この構成により、キャスターユニット１００にある支持リブ板１６０がセンター平面セクション２８４に当接し、且つ、２本の係合柱１５０が２つのサイド平面セクション２８５と当接するように取付部１４０が受入凹部２８内に挿し込まれると、該２本の係合柱１５０が底面２８３にある２つのねじ穴２８６に対応して挿入するので、例えばボルトにより係合柱１５０をねじ穴２８６から抜けないように固定することで、キャスターユニット１００を箱体１に固定することができる。上記の構成によれば、キャスターユニット１００の取付部１４０を側保持面２８２により側面からしっかりと保持することができる。
【００２５】
キャスターユニット１００等がそれぞれ第１の端部セクション２１と第２の端部セクション２２に取り付けられる場合、受入凹部２８の構造によりキャスターユニット１００の取付部１４０が確実に保持されると、箱体１は、キャスターユニット１００からの応力を直接に受けることができる。また、第１の端部セクション２１と第２の端部セクション２２とにある溝部２４の長さ方向における幅が、中間セクション２５に形成された溝部２４の長さ方向における幅より狭くなっていることによって、キャスターユニット１００からの振動を直接に受ける下板２０の両側の構造強度が向上し、凸凹な地面の上をスーツケースが移動する際、たとえキャスターユニット１００等からの振動が箱体１に伝わっても、箱体1が破損する恐れが大幅に減少する。
【００２６】
したがって、本考案に係るスーツケースの第１の実施形態は、簡単な構造で、従来のスーツケースより構造耐力性が向上することが可能である。
【００２７】
なお、図１及び図５が示すように、スーツケースを構成する２つの箱体１の内の１つの箱体１における周壁３０には、上板１０と下板２０とが向かい合う方向に沿って延伸し、且つ、他の１つの箱体１から離れる方向へ突起する突出部８０と、周壁３０の裏側（収容空間５０側）において該突出部８０の形状に対応する凹陥部とが設けられている。また、該突出部８０の上板１０が面する側の端部には、凹陥する取っ手収容エリア９０が形成されている。更に、突出部８０には、該取っ手収容エリア９０に収容可能な取っ手９１と、該取っ手９１から上板１０と下板２０とが向かい合う方向に沿って延伸し、取っ手収容エリア９０の凹陥部に挿し込まれている伸縮アームとが取り付けられている。突出部８０を設けることにより、スーツケースの構造強度を更に向上することができる。
【００２８】
図６及び図７は、本考案の第２の実施形態に係る第１の端部セクション２１または第２の端部セクション２２の構造の変化例を説明する図示である。第１の実施形態と同様に、各キャスターユニット１００の取付部１４０には、受入凹部２８内に挿し込まれた際に、下板側から上板１０側へ延伸する２本の円柱状の係合柱１５０が形成されている。
【００２９】
各キャスター設置部の側保持面２９２は、円弧面であるセンター凹面セクション２９４と、円弧面で該センター凹面セクション２９４の両側にそれぞれある２つのサイド凹面セクション２９５と、センター凹面セクション２９４と２つのサイド凹面セクション２９５との間にそれぞれ介在し、２本の係合柱１５０をそれぞれ受け入れられるように円柱状空間を囲む２つの係合柱受入セクション２９６と、を有している。
【００３０】
各キャスターユニット１００の取付部１４０は、対応するキャスター設置部の側保持面２９２の形状に対応して、受入凹部２８内に挿し込まれた際に、２本の係合柱１５０が２つの係合柱受入セクション２９６と当接すると共に、センター凹面セクション２９４及び２つのサイド凹面セクション２９５と同時に当接できる形状に形成されている。
【００３１】
本考案に係るスーツケースの第２の実施形態は、キャスターユニット１００にある支持リブ板１６０がセンター凹面セクション２９４に当接し、２本の係合柱１５０が２つの係合柱受入セクション２９６が囲む円柱状空間内に当接すると、該２本の係合柱１５０が底面２９３（第１の実施形態における底面２８３に相当）にある２つのねじ穴２９７に対応して、ボルトで固定される。そのため、キャスターユニット１００の取付部１４０を側面からしっかりと保持することができる。
【００３２】
上記構造により、本考案のスーツケースは、下板２０には、第１の端部セクション２１と中間セクション２５と第２の端部セクション２２とからなる強化セクションに、複数のリブ２３が形成されることにより、隣り合う２つのリブ２３の間に、それぞれ開口する溝部２４が画成されている。
【００３３】
これにより、下板２０の構造強度が強まり、下板２０の両側に取り付けられるキャスターユニット１００からの振動が下板１０の両側に伝わっても、下板１０が破損することを防ぐことができる。
【００３４】
また、第１の端部セクション２１と第２の端部セクション２２とにある溝部２４の幅は、中間セクション２５に形成された溝部２４の幅より狭くなり、中間セクション２５から離れるにつれて、段々に狭くなっている。よって、各端部セクションにおける構造強度をより向上させることができる。
【００３５】
更に、それぞれの受入凹部２８等に設けられる当接面２８１と、センター平面セクション２８４及び２つのサイド平面セクション２８５が設けられる側保持面２８２と、底面２８３とを備える構造を利用して、大きな衝撃に耐えるようになり、構造強度を向上できる。このように、本考案は、新規な構造により、従来技術における問題を解決することができる。
【００３６】
上記実施形態のように、本考案は、その要旨を逸脱しない範囲で種々の変更が可能である。
【産業上の利用可能性】
【００３７】
本考案は、上記のように記載された構成によって、下板２０において複数のリブ２３及び複数の溝部２４が形成され、下板２０の構造強度を強めることができ、下板２０の両側にキャスターユニット１００を取り付けると、該キャスターユニット１００等が地面上を移動することにより生じる振動が下板２０の両側に伝わっても、下板２０の両側の耐力性を向上させることができるため、スーツケースに変形や破断が生じ難く、一層堅固なスーツケースを提供することができる。
【符号の説明】
【００３８】
１００  キャスターユニット
１２０  キャスター
１３０  当接板
１４０  取付部
１５０  係合柱
１６０  支持リブ板
１    箱体
１０  上板
２０  下板
２１  第１の端部セクション
２２  第２の端部セクション
２３  リブ
２４  溝部
２５  中間セクション
２８  受入凹部
２８１  当接面
２８２  側保持面
２８３  底面
２８４  センター平面セクション
２８５  サイド平面セクション
２８６  ねじ穴
３０  周壁
５０  収容空間
６０  補強リブ板
７０  突出板
８０  突出部
９０  取っ手収容エリア
９１  取っ手
２９２  側保持面
２９３  底面
２９４  センター凹面セクション
２９５  サイド凹面セクション
２９６  係合柱受入セクション
２９７  ねじ穴
【図１】
0003218121.tif 000003
【図２】
0003218121.tif 000004
【図３】
0003218121.tif 000005
【図４】
0003218121.tif 000006
【図５】
0003218121.tif 000007
【図６】
0003218121.tif 000008
【図７】
0003218121.tif 000009